(57)【要約】【課題】生体情報モニタにおいて、個々の患者についてのコメントの内容を基本画面から常に確認すること。【解決手段】複数の患者の状態を監視する生体情報モニタであって、前記複数の患者の生体情報データを外部から取得する取得手段と、表示画面の表示領域を分割した複数の表示区域を有する基本画面において、個々の表示区域内に個々の患者の生体情報データを表示する表示手段と、前記複数の患者のいずれかに関連するコメントの入力処理を行うコメント処理手段と、を有し、前記表示手段は、前記複数の患者のうち一患者に関連するコメントが前記操作手段を介するユーザ操作によって入力された場合、入力されたコメントの少なくとも一部を、前記複数の表示区域のうち前記一患者に対応する表示区域内に表示する。【選択図】図２
2015000175.tif 000002
【特許請求の範囲】
【請求項１】
複数の患者の状態を監視する生体情報モニタであって、
前記複数の患者の生体情報データを外部から取得する取得手段と、
表示画面の表示領域を分割した複数の表示区域を有する基本画面において、個々の表示区域内に個々の患者の生体情報データを表示する表示手段と、
前記複数の患者のいずれかに関連するコメントの入力処理を行うコメント処理手段と、
を有し、
前記表示手段は、前記複数の患者のうち一患者に関連するコメントが前記コメント処理手段を介するユーザ操作によって入力された場合、入力されたコメントの少なくとも一部を、前記複数の表示区域のうち前記一患者に対応する表示区域内に表示する、
生体情報モニタ。
【請求項２】
前記表示手段は、前記一患者に対応する表示区域内のコメント表示部内に、入力されたコメント全体を表示する場合において、前記コメント全体が前記コメント表示部に収まるときは前記コメント全体を前記コメント表示部内に一括で表示する一方、前記コメント全体が前記コメント表示部に収まらないときは前記コメント全体を前記コメント表示部内にスクロールさせて表示する、
請求項１記載の生体情報モニタ。
【請求項３】
前記表示手段は、前記一患者に対応する表示区域内のコメント表示部内に、入力されたコメントの一部を表示する場合、入力されたコメントの要部を選択的に表示する、
請求項１記載の生体情報モニタ。
【請求項４】
前記表示区域は、患者情報を表示する患者情報表示部を含み、
前記表示手段は、入力されたコメントを、前記一患者に対応する表示区域の患者情報表示部内に表示する、
請求項１〜３のいずれかに記載の生体情報モニタ。
【請求項５】
前記表示手段は、入力されたコメントの一部表示または全体表示を前記一患者に対応する表示区域のコメント表示部内で行い、前記一部表示から前記全体表示への切り替えまたは前記全体表示から前記一部表示への切り替えを、前記コメント表示部のサイズを変更させる前記基本画面のレイアウト変更に従って行う、
請求項１〜４のいずれかに記載の生体情報モニタ。
【請求項６】
前記コメント処理手段は、ユーザ操作を受け付ける操作手段であり、
前記一患者の状態の監視に用いられている他の生体情報モニタに、入力されたコメントを表示させるか否かを、前記操作手段を介するユーザ操作に従って決定する制御手段と、
入力されたコメントを前記他の生体情報モニタに表示させることが決定された場合、入力されたコメントを表示させる指示を前記他の生体情報モニタに送信する送信手段と、
をさらに有する、
請求項１〜５のいずれかに記載の生体情報モニタ。
【請求項７】
前記コメント処理手段は、前記一患者の状態の監視に用いられている他の生体情報モニタから、前記他の生体情報モニタにおいて前記一患者に関連して入力されたコメントについての指示を受信する受信手段であり、
前記表示手段は、入力されたコメントを表示させる指示が前記他の生体情報モニタから受信された場合、入力されたコメントを表示し、入力されたコメントの表示を止めさせる指示が前記他の生体情報モニタから受信された場合、入力されたコメントの表示を止める、
請求項１〜６のいずれかに記載の生体情報モニタ。
【発明の詳細な説明】
【技術分野】
【０００１】
本発明は、生体情報モニタに関する。
【背景技術】
【０００２】
従来、複数の患者の状態を監視する生体情報モニタとして、医療機関においてナースステーションに設置されるセントラルモニタが知られている。セントラルモニタは、集中治療室や病室などに居る各患者のベッドサイドに設置された生体情報モニタであるベッドサイドモニタから各患者の生体情報（例えば、心電図、血圧、動脈血酸素飽和度など）を受信してそれを画面に表示する（例えば、特許文献１参照）。
【０００３】
セントラルモニタは、各ベッドサイドモニタ等から受信した生体情報を同時に基本画面として１画面で表示する。このセントラルモニタにおける基本画面の表示モードは、同時に表示する患者の人数に応じて変更できる。
【０００４】
図１に示すように従来のセントラルモニタ１の基本画面は、表示画面２に、複数の患者を、患者の氏名等と、患者に対応する生体情報データ３とを患者毎に対応する患者情報ブロックとして、表示区域４ａ〜４ｆで並べて表示している。これにより、ナースステーションに配置されたセントラルモニタ１を介して、医療スタッフは、ナースステーションから離れた病床、集中治療室等の場所に居る複数患者の容態を同時にモニタリングできる。
【０００５】
ところで、医療の現場では昼勤の医療スタッフから夜勤の医療スタッフへの申し送りや予定時刻の投薬・処置などの備忘録代わりに、付箋紙が通常用いられている。この付箋紙には、一患者に対するコメントが記載されていて、セントラルモニタの画面枠（具体的には、その一患者に対応する表示区域の近傍の画面枠）に貼りつけられている。
【０００６】
しかしながら、付箋紙は経時変化などによりその粘着力が低下してしまい、セントラルモニタの画面枠から剥がれてしまうことがある。また、画面上に表示される患者の位置が変更された場合に対処できない。その結果、医療スタッフ間の申し送りや予定時刻の投薬・処置などができず、医療過誤が生じる可能性がある。この点から、患者毎に注意すべき事項をコメントとして表示するセントラルモニタが開示されている。例えば、特許文献２記載のセントラルモニタでは、特定の患者のコメントが登録されている場合に、その患者の表示区域内に表示されたアイコンを指示することで、登録されているコメントを表示画面に表示させる。
【先行技術文献】
【特許文献】
【０００７】
【特許文献１】特開２００５−１２４９０３号公報
【特許文献２】特開２０１１−７８６４０号公報
【発明の概要】
【発明が解決しようとする課題】
【０００８】
ところで、特許文献２記載のセントラルモニタでは、コメントは、アイコン指示後、アラーム発生後または設定時間経過後の基本画面上に重ねて表示されるものの、通常時の表示画面には表示されない。一般に、コメントは投薬の種類や処置の時刻などの重要な情報を含むため、コメントの内容を基本画面から常に確認できるセントラルモニタが要望されている。
【０００９】
本発明はかかる点に鑑みてなされたものであり、個々の患者についてのコメントの内容を基本画面から常に確認できる生体情報モニタを提供することを目的とする。
【課題を解決するための手段】
【００１０】
本発明の生体情報モニタは、複数の患者の状態を監視する生体情報モニタであって、前記複数の患者の生体情報データを外部から取得する取得手段と、表示画面の表示領域を分割した複数の表示区域を有する基本画面において、個々の表示区域内に個々の患者の生体情報データを表示する表示手段と、前記複数の患者のいずれかに関連するコメントの入力処理を行うコメント処理手段と、を有し、前記表示手段は、前記複数の患者のうち一患者に関連するコメントが前記コメント処理手段を介するユーザ操作によって入力された場合、入力されたコメントの少なくとも一部を、前記複数の表示区域のうち前記一患者に対応する表示区域内に表示する、構成を採る。
【発明の効果】
【００１１】
本発明によれば、個々の患者についてのコメントの内容を基本画面から常に確認できる。特に、画面上の患者の表示位置が変更された場合でも、コメントは患者の表示位置に連れて移動するためその内容確認を常に容易に行うことができ、医療過誤につながるおそれが生じない。
【図面の簡単な説明】
【００１２】
【図１】従来のセントラルモニタの一例を説明するための図
【図２】本発明の一実施の形態に係る生体情報モニタシステムの構成を示すブロック図
【図３】本発明の一実施の形態に係る基本画面を説明するための図
【図４】本発明の一実施の形態に係る個人画面起動ボタンを説明するための図
【図５】本発明の一実施の形態に係る個人画面を説明するための図
【図６】本発明の一実施の形態に係る個人メニュー画面を説明するための図
【図７】本発明の一実施の形態に係る８床２波形表示モードの基本画面に表示されたコメントを説明するための図
【図８】本発明の一実施の形態に係る８床４波形表示モードの基本画面に表示されたコメントを説明するための図
【図９】本発明の一実施の形態に係るコメント表示部内にコメント全体をスクロールさせて表示することを説明するため図
【発明を実施するための形態】
【００１３】
以下、本発明の実施の形態について、図面を用いて詳細に説明する。
【００１４】
図２の生体情報モニタシステム１０００は、複数の患者の状態を監視する生体情報モニタとしてのセントラルモニタ１００と、一患者の状態の監視に用いられている他の生体情報モニタとしてのベッドサイドモニタ１０とから構成される。ベッドサイドモニタ１０は病室、手術室または集中治療室において患者のそばに置かれ、セントラルモニタ１００は患者から離れた場所（例えばナースステーションなど）に置かれる。ベッドサイドモニタ１０とセントラルモニタ１００との間の各種データの送受信は有線通信または無線通信によって行われる。
【００１５】
ベッドサイドモニタ１０は、データ入力部２０と、記憶部３０と、制御部４０と、送信部５０と、受信部６０と、表示部７０とを有する。なお、一般に、生体情報モニタシステム１０００は、１台のセントラルモニタ１００に対して複数の患者にそれぞれ対応する複数台のベッドサイドモニタ１０を接続することができるが、本実施の形態では説明を簡単にするために１台のベッドサイドモニタ１０のみ開示する。
【００１６】
データ入力部２０は、例えば患者に装着された生体情報センサ２１をベッドサイドモニタ１０に接続させるためのコネクタである。生体情報センサ２１は、例えば心電図センサ、血圧センサ、ＳｐＯ２センサや呼吸センサなどであり、患者の生体情報データを計測する。計測される生体情報データは、例えば、心電図データ、呼吸データ、観血血圧データ、体温データ、酸素飽和度（ＳｐＯ２）データ、または非観血血圧データ等である。データ入力部２０は、接続された生体情報センサ２１と制御部４０との間のインタフェースとして機能する。
【００１７】
制御部４０は、例えば演算処理装置（ＣＰＵ：Central Processing Unit）を有し、記憶部３０に記憶されたプログラムを実行することで、ベッドサイドモニタ１０内の各部における動作を制御する。
【００１８】
制御部４０は、データ入力部２０から順次供給される生体情報データを、患者の患者情報に対応させてリアルタイムで表示部７０に表示させるための制御を行う。また、患者毎に注意すべき事項を示すコメントが表示部７０においてユーザ操作により入力された場合には、そのコメントについての指示信号を送信部５０に供給する。また、制御部４０は記憶部３０や送信部５０に各種データを供給する。
【００１９】
なお、制御部４０は、画像処理によって複数の画面レイヤを形成して、レイヤ毎に画面の画像データを生成する。したがって、画像処理の結果として得られる画像データは、レイヤ構造を有する。これにより、生体情報データを表示する画面の前面側に、各種操作画面をポップアップ表示することができる。
【００２０】
送信部５０は、制御部４０から供給された生体情報データ、コメントやそのコメントについての指示信号などを、通信ネットワークを介してセントラルモニタ１００に送信する。
【００２１】
受信部６０は、通信ネットワークを介してセントラルモニタ１００からコメントやそのコメントについての指示信号を受信する。また、受信部６０は、そのコメントや指示信号を制御部４０に供給する。
【００２２】
表示部７０は、例えばタッチパネル入力部を備えた液晶表示装置であり、表示機能と入力機能とを有している。表示部７０は制御部４０から供給された生体情報データやコメントなどを画面に表示する。
【００２３】
また、表示部７０は、ユーザ操作（具体的には、タッチ操作）を受け付けると、その操作内容を示す操作信号を生成して、その操作信号を制御部４０に伝送する。ユーザは、表示部７０にユーザ操作を行うことで、一患者についてのコメントを入力することなどができる。
【００２４】
記憶部３０は、例えば、半導体メモリ装置またはハードディスクなどの記憶装置であり、制御部４０により実行されるプログラムや制御部４０から供給された各種データを記憶する。
【００２５】
続いて、セントラルモニタ１００の構成を説明する。セントラルモニタ１００は、表示部２００と、受信部３００と、制御部４００と、情報入力部５００と、記憶部６００と、音声出力部７００と、送信部８００と、を有する。
【００２６】
本発明における取得手段としての受信部３００は、ベッドサイドモニタ１０から送信された患者の生体情報データを受信する。受信部３００に受信された生体情報データは、制御部４００に供給される。これにより、セントラルモニタ１００は、ベッドサイドモニタ１０から各患者の生体情報データをリアルタイムに取得することができる。また、受信部３００は、コメント処理手段として、ベッドサイドモニタ１０から送信されたコメントについての指示信号を受信することもできる。
【００２７】
情報入力部５００は、ユーザが患者情報を手入力するためのキーボードやマウスなど、または磁気カードに記録された患者情報を読み取るカードリーダなどである。情報入力部５００は、生体情報データの対象患者の患者情報の入力を受け付けて、制御部４００に供給する。なお、各患者の患者情報には、主に患者の識別番号、氏名、性別および年齢区分（新生児・乳児・幼児・小児・成人）を示すデータが含まれ、その他にも病室、フロアや病棟などの名称または番号を示すデータが含まれる。さらに、無線通信チャネルの番号、または患者を担当する医師および看護師の氏名を示すデータを補足的に含むこともできる。
【００２８】
また、情報入力部５００は、コメント処理手段として、一患者についてのコメントを入力する際に用いることもできる。
【００２９】
本発明における制御手段としての制御部４００は、例えば演算処理装置（ＣＰＵ）を有し、記憶部６００に記憶されたプログラムを実行することで、セントラルモニタ１００内の各部における動作を制御する。
【００３０】
制御部４００は、受信部３００から順次供給される各患者の生体情報データを、患者の患者情報に対応させてリアルタイムで表示部２００に表示させるための制御を行う。
【００３１】
例えば、制御部４００は、複数の患者の生体情報データが、予め指定されている基本画面２１０（図３参照）の表示モード（図３では、８床４波形表示モード）に従って表示されるように、画像データを生成する。また、制御部４００は、複数の患者の生体情報データを画面全域に表示する基本画面２１０の他に、特定の患者の生体情報データを画面右側の領域に表示する個人画面の画像データを生成する。生成された画像データは表示部２００に供給される。
【００３２】
なお、制御部４００は、画像処理によって複数の画面レイヤを形成して、レイヤ毎に画面の画像データを生成する。したがって、画像処理の結果として得られる画像データは、レイヤ構造を有する。これにより、例えば、基本画面２１０を表示させると同時に、基本画面２１０の前面側に、各種操作画面をポップアップ表示することができる。
【００３３】
また、制御部４００は、受信部３００から順次供給される各患者の生体情報データを、患者情報に対応付けて記憶部６００に格納して、生体情報データを管理する。また、送信部８００に生体情報データ、患者情報、またはコメントについての指示信号などを供給する。
【００３４】
また、制御部４００は、ベッドサイドモニタ１０から、患者の容態に異常が生じていないかの判定結果を、通信ネットワークを介して受信できる。患者の容態に異常が生じている場合には、制御部４００は、異常発生をユーザに通知するための画面を表示部２００に表示させたり、異常発生をユーザに通知するためのアラーム音を音声出力部７００から出力させたりする。
【００３５】
本発明における表示手段としての表示部２００は、例えばタッチパネル入力部を備えた液晶表示装置であり、表示機能と入力機能とを有している。表示部２００は、制御部４００から順次供給される画像データに基づいて、例えば表示部２００に基本画面２１０を表示する。なお、表示部２００は制御部４００から供給される画像データに基づいて、個人画面を表示することもできる。
【００３６】
また、表示部２００には、ユーザ操作（具体的には、タッチ操作）を受け付けると、その操作内容を示す操作信号を生成して、その操作信号を制御部４００に伝送する。ユーザは、後述する操作手段（個人画面起動ボタン２２１ｂ’、メニューボタン２６１、入退床ボタン２７１など）をタッチ操作することで、一患者についてのコメントを入力することなどができる。すなわち、表示部２００も情報入力部５００と同様にコメント処理手段としての機能を有する。
【００３７】
記憶部６００は、例えば、半導体メモリ装置またはハードディスクなどの記憶装置であり、制御部４００により実行されるプログラムや制御部４００から供給された各種データを記憶する。また、記憶部６００は一患者についての患者情報やコメントなどを記憶する。
【００３８】
また、記憶部６００は、コメントとして選択可能な定型コメントを記憶するデータベース（図示せず）を有する。定型コメントとしては、例えば、何時に何をすべきかを示す情報（例えば「１５時に×××を投与してください」など）が挙げられる。また、心電図の誘導法を示す「ＮＡＳＡ誘導」若しくは「ＭＣＬ誘導」などの情報も定型コメントの一例である。また、記憶部６００は定型コメントの要部をキーワードとして記憶する。例えば「１５時に×××を投与してください」においては、時刻を示す「１５時」や、薬剤名を示す「×××」をキーワードとして記憶する。
【００３９】
本発明における送信手段としての送信部８００は、制御部４００から供給された生体情報データ、患者情報、またはコメントについての指示信号などを、通信ネットワークを介してベッドサイドモニタ１０に送信する。
【００４０】
音声出力部７００は、スピーカであり、アラーム音などの出力を行う。
【００４１】
なお、本実施の形態のベッドサイドモニタ１０は、データ入力部２０と、記憶部３０と、制御部４０と、送信部５０と、受信部６０と、表示部７０と、の構成を全て１つの筐体に収容した一体型構成を採用しているが、これらの各構成を別々の筐体に収容し、接続手段を介して接続した独立型構成を採用してもよい。また、本実施の形態では、セントラルモニタ１００も一体型構成を採用しているが、独立型構成を採用してもよい。
【００４２】
図３に示すセントラルモニタ１００の表示画面について説明する。セントラルモニタ１００の表示画面には、表示区域２２０ａ〜２２０ｈが、予め指定されている基本画面２１０の表示モード（図３では、８床４波形表示モード）に従って配置される。表示区域２２０ａ〜２２０ｈは、基本画面２１０の表示領域を分割して並べて配置され、それぞれの表示区域２２０ａ〜２２０ｈに患者毎の患者情報および生体情報データを表示する。表示区域２２０ａ〜２２０ｈのそれぞれには、計測値表示部、波形表示部および患者情報表示部が含まれる。ここでは、患者「佐藤浩太」の表示区域２２０ｂについて説明する。
【００４３】
計測値表示部２２１ｂには、「佐藤浩太」の生体情報データ（具体的には、心拍数（ＨＲ）データ、ＳｐＯ２データおよび非観血血圧（ＮＩＢＰ）データ）が計測値の形式で表示される。また、波形表示部２２２ｂには、「佐藤浩太」の生体情報データ（具体的には、心電図データ、ＳｐＯ２データおよび呼吸データ）が波形の形式で表示される。なお、計測値表示部２２１ｂおよび波形表示部２２２ｂに表示される生体情報データは上記のものに限られず、例えば観血血圧（ＢＰ）データ、呼気・吸気中の炭酸ガス濃度（ＣＯ２）データ、麻酔ガス濃度（Ａｇｅｎｔ）データ、または酸素濃度（Ｏ２）データなどであってもよい。
【００４４】
また、患者情報表示部２２３ｂには、「佐藤浩太」の患者情報（具体的には、氏名、性別、年齢区分など）が表示される。なお、患者情報表示部２２３ｂに表示される個人情報は上記のものに限られない。
【００４５】
次に、本実施の形態のセントラルモニタ１００の入力されたコメントを基本画面２１０に表示させるための操作手順、コメントが表示された基本画面２１０の構成、およびコメントの表示を止めさせるための操作手順について説明する。
【００４６】
ここでは、表示部２００は、制御部４００の画像処理により生成される画像データに基づいて、複数の患者の患者情報および生体情報データをリアルタイムで表示する。具体的には、図４に示すように、基本画面２１０に表示区域２２０ａ〜２２０ｈが配置される。なお、本実施の形態では、「佐藤浩太」に対応する表示区域２２０ｂ内に入力されたコメントを表示させるための操作手順または入力されたコメントの表示を止めさせるための操作手順について説明し、ここでのユーザ操作はタッチ操作とする。また、ベッドサイド１０が「佐藤浩太」の状態の監視に用いられているものとする。また、ユーザが、予め設定された定型コメントを選択してコメントを「１５時に×××を投与してください」とする場合を例にとって説明する。通常「×××」には薬剤名が表示されるが、ここでは説明簡略化のため具体的薬剤名の表示は省略する。
【００４７】
まず、ユーザは個人画面２６０（図５）を表示させるための個人画面起動ボタン２２１ｂ’（図４）をタッチ操作する。なお、個人画面起動ボタン２２１ｂ’は透明であり、計測値表示部２２１ｂ内に配置される。ここで、「個人画面起動ボタン２２１ｂ’は透明」とは、個人画面起動ボタン２２１ｂ’の配置位置と計測値表示部２２１ｂの計測値の表示位置とが重なった場合でも計測値の表示が隠れることなく完全に視認できる状態であり、個人画面起動ボタン２２１ｂ’自体は目に見えない状態であることを意味する。
【００４８】
個人画面起動ボタン２２１ｂ’がタッチ操作されると、表示区域２２０ａ〜２２０ｈの幅（高さ方向のサイズ）が縮小されて表示画面の左半分に寄せ集められ、表示画面の右半分が空けられ、これと同時に、個人画面２６０が基本画面２１０の右側に表示される（図５）。この表示区域２２０ａ〜２２０ｈの高さ方向のサイズの縮小に伴い、基本画面２１０の表示は８床４波形表示から８床２波形表示になる。
【００４９】
次いで、ユーザは個人画面２６０内のメニューボタン２６１をタッチ操作すると、入退床ボタン２７１または退床ボタン２７２などが配置された個人メニュー画面２７０を個人画面２６０上に重ねて表示させる（図６）。次いで、ユーザは個人メニュー画面２７０内の入退床ボタン２７１をタッチ操作すると、患者情報やコメントを入力するための入退床設定画面（図示せず）が表示される。
【００５０】
この入退床設定画面には、例えば、ユーザに、コメントを直接入力させるための５０音ボタンおよびテンキーボタンと、５０音ボタンで入力した内容を漢字変換させるための変換ボタンと、予め設定された（つまり記憶部６００に記憶された）複数の定型コメントを選択させるための定型コメント選択ボタンと、入力されたコメントを確認させるためのコメント確認部と、入力されたコメントをベッドサイドモニタ１０に表示させるための連動ボタンと、入力されたコメントの表示を止めさせるための非表示ボタンと、コメントの入力を終了させるための入力終了ボタンとが配置される。
【００５１】
ユーザが定型コメント選択ボタンをタッチ操作すると、予め設定された複数の定型コメントを表示した定型コメント選択画面（図示せず）がポップアップ表示される。ユーザは定型コメント選択画面に表示された複数の定型コメントから、１つまたは２つ以上の定型コメントをコメントとして選択できる。具体的には、ユーザは、定型コメント「１５時に×××を投与してください」の表示位置をタッチ操作すると、コメントを「１５時に×××を投与してください」とすることができる。なお、ユーザが定型コメントを選択すると、その内容がコメント確認部に表示される。入力頻度の高いコメントを定型コメントとして予め設定しておき、その中から必要な定型コメントをユーザに選択させることで、ユーザはコメントを簡素化した手順でコメントを入力することができる。なお、時刻や薬剤名などを別々に選択できるように定型コメントが設定されていてもよい。
【００５２】
続いて、ユーザが定型コメントの選択を終了させるための選択終了ボタンをタッチ操作すると、定型コメント選択画面が閉じられる。次にユーザが入力終了ボタンをタッチ操作すると、表示画面の右半分に個人画面２６０が再び表示されるとともに、「佐藤浩太」に対応する表示区域２２０ｂの患者情報表示部２２３ｂ内にコメント表示部２２４ｂが表示される（図７）。患者情報表示部２２３ｂ内にコメント表示部２２４ｂを表示させることで、コメント表示部２２４ｂの表示が生体情報データの視認性に全く影響を与えない。さらに、コメント表示部２２４ｂは患者情報表示部２２３ｂ内の余白部分に表示される。これにより、コメント表示部２２４ｂの表示が患者情報の視認性に全く影響を与えない。
【００５３】
また、コメント表示部２２４ｂ内には「１５時・・・▽」が表示される。ここで、「１５時」はコメント「１５時に×××を投与してください」の一部であり、「・・・▽」はコメント表示部２２４ｂ内にコメントの一部を表示していることを示す情報である。この表示は、コメント表示部２２４ｂの広さとコメントの文字数との関係で、コメント表示部２２４ｂにコメントを全て表示できない場合に有効である。なお、「１５時・・・▽」を表示したコメント表示部２２４ｂをタッチ操作すると、例えば、表示部２００はコメントの全てを表示した画面をポップアップ表示することができる。
【００５４】
ここで、コメント表示部２２４ｂ内に表示された「１５時」は時刻を示すキーワードである。このように、コメント全体をコメント表示部２２４ｂに表示できない場合、制御部４００は表示部２００にコメントの要部（本実施の形態では、定型コメントの要部）を選択的に表示させる。これにより、コメント全体をコメント表示部２２４ｂ内に表示できない場合でも、コメントに含まれる重要な情報をコメント表示部２２４ｂ内に表示させることで、ユーザは基本画面２１０から重要な情報を常に確認することができる。
【００５５】
なお、コメント「１５時に×××を投与してください」はキーワード「１５時」およびキーワード「×××」を含む。これらのキーワード情報をコメント表示部２２４ｂ内に同時に表示できる場合、表示部２００は両方のキーワード情報を同時に表示してもよいし、どちらか一方のキーワードだけを表示してもよい。一方のキーワードを表示する場合、表示部２００はどちらのキーワードを表示するかを予め設定された優先度により決定する。優先度は、例えば、キーワードの種類（時刻を示すキーワード、投与する薬剤名を示すキーワード、心電図の誘導法を示すキーワードなど）ごとに設定されてもよく、個々のキーワード（「１５時」、「×××」、「ＮＡＳＡ誘導」など）ごとに設定されてもよい。本実施の形態では、キーワード「１５時」の方がキーワード「×××」よりも高い優先度が設定されている。
【００５６】
続いて、ユーザがホームボタン２８０をタッチ操作すると、表示区域２２０ａ〜２２０ｈの配置（レイアウト）が図４に示すレイアウトに戻され、基本画面２１０の表示が８床２波形表示から８床４波形表示になる（図８）。それにより、図７に示す表示区域２２０ｂと比べ、図８に示す表示区域２２０ｂは配置位置およびサイズが変更される。このとき、表示部２００は表示区域２２０ｂの配置位置の変更に伴い、コメント表示部２２４ｂの表示位置を自動で変更する。コメントの内容の確認を表示区域２２０ｂの近傍の画面枠に貼りつけた付箋紙から行う場合であると、表示区域２２０ｂの配置位置が変更されるたびに、付箋紙を配置位置変更後の表示区域２２０ｂの近傍の画面枠に貼り直す手間が生じるが、本実施の形態ではそのような手間は一切生じない。
【００５７】
また、表示部２００は、表示区域２２０ｂのサイズの変更に伴い、コメント表示部２２４ｂのサイズも変更する。本実施例では、図８に示す表示区域２２０ｂのサイズは図７に示す表示区域２２０ｂのサイズよりも大きいため、表示部２００はコメント表示部２２４ｂのサイズを自動で拡大する。その結果、図８に示すコメント表示部２２４ｂ内には、コメントの全体「１５時に×××を投与してください」が一括で表示される。
【００５８】
なお、本実施の形態では、基本画面２１０に含まれる表示区域の数を８区域（８床表示モード）としているが、ユーザ設定により４区域（４床表示モード）または１６区域（１６床表示モード）にすることができる。ここで、表示部２００が個人画面２６０を表示しない場合、表示部２００は、１６床表示モードのコメント表示部２２４ｂ内にコメントの一部を表示し、４床表示モードおよび８床表示モードのコメント表示部２２４ｂ内にコメント全体を表示する。一方、表示部２００が個人画面２６０を表示する場合、表示部２００は、８床表示モードおよび１６床表示モードのコメント表示部２２４ｂ内にコメントの一部を表示し、４床表示モードのコメント表示部２２４ｂ内にコメント全体を表示する。つまり、表示部２００は、コメント表示部２２４ｂのサイズを変更させる基本画面２１０のレイアウト変更に従って、コメントの全体表示および一部表示を切り替えて行うことができる。
【００５９】
また、表示部２００は、図８に示すように、コメント全体がコメント表示部２２４ｂ内に収まるときは、コメント表示部２２４ｂ内にコメント全体を一括で表示するが、コメント全体がコメント表示部２２４ｂ内に収まらないときは、コメント全体をスクロールさせて表示することができる。図９はコメント全体をスクロールさせて表示したコメント表示部２２４ｂの経時変化を示す。まず、コメント表示部２２４ｂ内にコメントの一部「１５時に×××を」が表示される。続いて、コメント表示部２２４ｂの右側から左側に向けて、コメントの一部「投与し」がスクロールされて表示される一方、コメント表示部２２４ｂの左端に到達したコメントの一部「１５時に」は表示されなくなる。続いて、コメント表示部２２４ｂの右側から左側に向けて、コメントの一部「てください」がスクロールされて表示される一方、コメント表示部２２４ｂ内の左端に到達したコメントの一部「×××を」は表示されなくなる。
【００６０】
このように、表示部２００はコメント全体をスクロールさせて表示することで、コメント全体がコメント表示部２２４ｂ内に収まらないときであっても、コメントの全てを表示することができる。なお、図９では、表示部２００は、コメント表示部２２４ｂの右側から左側に向けてコメント全体をスクロールさせて表示することを示したが、コメント表示部２２４ｂの下側から上側に向けてコメント全体をスクロールさせて表示してもよい。
【００６１】
また、本実施の形態では、セントラルモニタ１００の表示部２００にコメントを表示させているが、この表示と連動してベッドサイドモニタ１０の表示部７０にそのコメントを表示させることができる。
【００６２】
例えば、ユーザはセントラルモニタ１００を操作して「佐藤浩太」についてのコメントを入力した後に、入退床設定画面に表示された連動ボタンをタッチ操作すると、制御部４００は入力されたコメントをベッドサイドモニタ１０の表示部７０に表示させることを決定する。次に、制御部４００はコメントをベッドサイドモニタ１０の表示部７０に表示させる指示信号を生成し、送信部８００に供給する。送信部８００はその指示信号をベッドサイドモニタ１０の受信部６０に送信し、受信部６０はその指示信号を制御部４０に供給する。制御部４０は、その指示信号に従って、上記コメントを表示部７０に表示させる。
【００６３】
上述のとおり、セントラルモニタ１００で入力されたコメントをベッドサイドモニタ１０に表示させることで、セントラルモニタ１００を操作するユーザとベッドサイドモニタ１０を操作するユーザとの情報共有を簡単に行うことができる。また、ベッドサイドモニタ１０の表示部７０に、セントラルモニタ１００の表示部２００と同じコメントを表示させるかをユーザが選択できることで、表示部２００のみに表示すればよいコメント情報（例えば、患者の癖などの情報）を表示部７０に表示させることなく、表示部２００に表示することができる。
【００６４】
また、本実施の形態では、ユーザは入力したコメントの表示を止めさせることができる。例えば、ユーザは、入退床設定画面の非表示ボタンをタッチ操作して入力したコメントの表示を止めさせるか、個人メニュー画面２７０の退床ボタン２７２をタッチ操作して「佐藤浩太」の監視を終了するとともに入力したコメントの表示を止めさせることができる。また、これに連動して、上述のベッドサイドモニタ１０に表示されたコメントの表示を自動で止めさせることもできる。
【００６５】
なお、本実施の形態の形態では、ユーザはセントラルモニタ１００に対して上述の操作を行っているが、ベッドサイドモニタ１０に対しても同様の操作を行うことができる。
【００６６】
ベッドサイドモニタ１０を操作してコメントを入力した場合、ユーザはそのコメントを表示部７０に表示させるだけでなく、表示区域２２０ｂ内に表示させるかどうかを選択することもできる。ユーザがそのコメントを表示区域２２０ｂ内に表示させることを選択すると、制御部４０はその指示信号を生成し、送信部５０を介して、受信部３００に送信する。受信部３００は、その指示信号を制御部４００に供給し、制御部４００の制御により表示部２００は表示区域２２０ｂ内にそのコメントを表示させる。
【００６７】
また、ベッドサイドモニタ１０を操作して表示部７０に表示されたコメントの表示を止めさせた場合、ユーザは表示区域２２０ｂ内に表示されたコメントの表示を止めさせるかどうかを選択することもできる。ユーザが表示区域２２０ｂ内に表示されたコメントの表示を止めさせることを選択すると、制御部４０はその指示信号を生成し、送信部５０を介して、受信部３００に送信する。受信部３００は、その指示信号を制御部４００に供給し、制御部４００の制御により表示部２００は表示区域２２０ｂ内に表示されたコメントの表示を止める。
【００６８】
これにより、ベッドサイドモニタ１０を操作した場合であっても、セントラルモニタ１００を操作した場合と同じように、セントラルモニタ１００を操作するユーザとベッドサイドモニタ１０を操作するユーザとの情報共有を簡単に行うことができる。
【００６９】
以上、本発明の実施の形態について説明したが、以上の説明は本発明の好適な実施の形態の例証であり、本発明の範囲はこれに限定されるものではない。よって、上記実施の形態は、種々変更して実施可能である。
【符号の説明】
【００７０】
１０  ベッドサイドモニタ
２０  データ入力部
２１  生体情報センサ
３０、６００  記憶部
４０、４００  制御部
５０、８００  送信部
６０、３００  受信部
７０、２００  表示部
１００  セントラルモニタ
２１０  基本画面
２２０ａ、２２０ｂ、２２０ｃ、２２０ｄ、２２０ｅ、２２０ｆ、２２０ｇ、２２０ｈ  表示区域
２２１ｂ  計測値表示部
２２１ｂ’  個人画面起動ボタン
２２２ｂ  波形表示部
２２３ｂ  患者情報表示部
２２４ｂ  コメント表示部
２６０  個人画面
２６１  メニューボタン
２７０  個人メニュー画面
２７１  入退床ボタン
２７２  退床ボタン
２８０  ホームボタン
１０００  生体情報モニタシステム
【図１】
2015000175.tif 000003
【図２】
2015000175.tif 000004
【図９】
2015000175.tif 000005
【図３】
2015000175.tif 000006
【図４】
2015000175.tif 000007
【図５】
2015000175.tif 000008
【図６】
2015000175.tif 000009
【図７】
2015000175.tif 000010
【図８】
2015000175.tif 000011